(57)【要約】【課題】立ち上がり部に対するウレタン防水を容易且つ高品質で施工することのできる防水シート及び防水施工方法を提供する。【解決手段】本発明は、立ち上がり部２１と立ち上がり部２１の上端から交差する方向に形成されている上面部２２とを有する施工対象部分２０にウレタン防水を施工する時に立ち上がり部２１に貼付される防水シート１０であって、上端部分に所定高さの押え部１４が形成されているブチルゴム製のシート状部材１１と、シート状部材１１の内面側の押え部１４より下方部分に設けられているブチルゴム１２と、下側部分１５がシート状部材１１の内面側に固定され、下側部分１５より上方部分１６が押え部１４の下端に沿って内側に屈曲可能に形成されている補強布１３と、を備えていることを特徴とする。【選択図】図５
2018091016.tif 000002
【特許請求の範囲】
【請求項１】
立ち上がり部と該立ち上がり部の上端から交差する方向に形成されている上面部とを有する施工対象部分にウレタン防水を施工する時に該立ち上がり部に貼付される防水シートであって、
上端部分に所定高さの押え部が形成されているブチルゴム製のシート状部材と、
前記シート状部材の内面側の前記押え部より下方部分に設けられているブチルゴムと、
下側部分が前記シート状部材の内面側に固定され、該下側部分より上方部分が前記押え部の下端に沿って内側に屈曲可能に形成されている補強布と、
を備えていることを特徴とする防水シート。
【請求項２】
前記立ち上がり部に形成されている角部に沿って屈曲可能に設けられていることを特徴とする請求項１に記載の防水シート。
【請求項３】
立ち上がり部と該立ち上がり部の上端から交差する方向に形成されている上面部とを有する施工対象部分にウレタン防水を施工する方法であって、
上端部分に所定高さの押え部が形成されているシート状部材を、該シート状部材の内面側の前記押え部より下方部分に設けられているブチルゴムを介して、前記立ち上がり部に貼付する工程と、
前記シート状部材の内面側に固定されている補強布を、前記押え部の下端に沿って内側に屈曲し、前記上面部に敷設する工程と、
前記押え部の上端に沿うように前記上面部に敷設された前記補強布の上にウレタン系の防水材を施工する工程と、
を備えていることを特徴とする防水施工方法。             
【発明の詳細な説明】
【技術分野】
【０００１】
本発明は、建築物の庇や屋上のパラペット等の立ち上がり部を有する施工対象部分にウレタン防水を施工する時に使用される防水シート及び該防水シートを使用した防水施工方法に関するものである。
【背景技術】
【０００２】
従来、建築物の庇、屋上やベランダ等には、ウレタン防水が広く施工されており、このウレタン防水施工のために、防水シート等の防水材料や防水施工方法がいろいろと提案されている（例えば、特許文献１参照）。
【先行技術文献】
【特許文献】
【０００３】
【特許文献１】特開２０１５−１２９４３９号公報
【発明の概要】
【発明が解決しようとする課題】
【０００４】
しかしながら、上記した従来の防水材料や防水施工方法では、庇や屋上のパラペット等の立ち上がり部に塗布される液状の防水材が硬化する迄の間に、防水材が流下したりするため、防水塗膜を均一に管理するのが難しいという問題が生じている。
【０００５】
また、防水材が流下したままの状態で硬化することで、外観が悪くなったり、或いは、それを補修する手間を要したりするといった問題も生じている。
【０００６】
さらに、このような立ち上がり部に対するウレタン防水の膜厚管理は熟練した作業者でなければ行なうことが難しいが、熟練した作業者を確保するのは容易でないため、工期やコストに悪影響を及ぼすという問題もある。
【０００７】
本発明は上記した課題を解決するために成されたものであり、立ち上がり部に対するウレタン防水を容易且つ高品質で施工することのできる防水シート及び防水施工方法を提供することを目的とするものである。
【課題を解決するための手段】
【０００８】
上記した目的を達成するため、本発明は、立ち上がり部と該立ち上がり部の上端から交差する方向に形成されている上面部とを有する施工対象部分にウレタン防水を施工する時に該立ち上がり部に貼付される防水シートであって、上端部分に所定高さの押え部が形成されているブチルゴム製のシート状部材と、前記シート状部材の内面側の前記押え部より下方部分に設けられているブチルゴムと、下側部分が前記シート状部材の内面側に固定され、該下側部分より上方部分が前記押え部の下端に沿って内側に屈曲可能に形成されている補強布と、を備えていることを特徴とする。
【０００９】
本発明に係る防水シートは、前記立ち上がり部に形成されている角部に沿って屈曲可能に設けられていることを特徴とする。
【００１０】
また、本発明は、立ち上がり部と該立ち上がり部の上端から交差する方向に形成されている上面部とを有する施工対象部分にウレタン防水を施工する方法であって、上端部分に所定高さの押え部が形成されているシート状部材を、該シート状部材の内面側の前記押え部より下方部分に設けられているブチルゴムを介して、前記立ち上がり部に貼付する工程と、前記シート状部材の内面側に固定されている補強布を、前記押え部の下端に沿って内側に屈曲し、前記上面部に敷設する工程と、前記押え部の上端に沿うように前記上面部に敷設された前記補強布の上にウレタン系の防水材を施工する工程と、を備えていることを特徴とする。
【発明の効果】
【００１１】
本発明によれば、立ち上がり部に対するウレタン防水を容易且つ高品質で施工することができる等、種々の優れた効果を得ることができる。
【図面の簡単な説明】
【００１２】
【図１】本発明の実施の形態に係る防水シートを示す正面図である。
【図２】本発明の実施の形態に係る防水シートを示す背面図である。
【図３】本発明の実施の形態に係る防水施工方法を示す断面図である。
【図４】本発明の実施の形態に係る防水施工方法を示す断面図である。
【図５】本発明の実施の形態に係る防水施工方法を示す断面図である。
【発明を実施するための形態】
【００１３】
以下、図面を参照しつつ、本発明の実施の形態に係る防水シート１０について説明する。ここで、図１は防水シート１０を示す正面図、図２は防水シート１０を示す背面図である。
【００１４】
本実施の形態に係る防水シート１０は、ウレタン防水を施工する際に使用されるものであり、ブチルゴム製のシート状部材１１と、シート状部材１１の内面側に設けられるブチルゴム１２と、シート状部材１１の内面側に設けられる補強布１３と、を備えて構成されている。
【００１５】
シート状部材１１は、例えば、田島ルーフィング株式会社製のエンドラップテープ等により構成されており、その上端部分に所定高さ（例えば、５ｍｍ程度）の押え部１４が形成されている。
【００１６】
ブチルゴム１２は、シート状部材１１の内面側の押え部１４より下方部分に、所定の厚み（例えば、２ｍｍ程度）で塗布されている。
【００１７】
補強布１３は、ガラス繊維がメッシュ状に配設されて構成されている。補強布１３の下側部分１５（図３〜図５参照）はシート状部材１１とブチルゴム１２との間に挟持された状態で固定され、この下側部分１５より上方部分１６は押え部１４の下端（ブチルゴム１２の上端）に沿って内側に屈曲可能に形成されている。なお、補強布１３の固定方法は、上記した方法の他、例えば、下側部分１５の一部分をブチルゴム１２に固定する等、各種変更が可能であることは言う迄もない。
【００１８】
次に、図３〜図５参照しつつ、本発明の実施の形態に係る防水施工方法について説明する。なお、以下の説明では、立ち上がり部２１と該立ち上がり部２１の上端から交差する方向に形成されている上面部２２とを有する建築物の庇２０に対してウレタン防水を施工する場合について例示して説明する。
【００１９】
まず、庇２０のコンクリートやモルタル等の表面に必要に応じてプライマー層を形成した上で、図３に示すように、上面部２２から上方にシート状部材１１の押え部１４及び補強布１３の上方部分１６を突出させた姿勢で、防水シート１０を庇２０の立ち上がり部２１の外面に押し付け、ブチルゴム１２を介して貼付する。特に図示しないが、この時、庇２０の立ち上がり部２１に角部が形成されている場合には、この角部に沿って防水シート１０を屈曲させながら、立ち上がり部２１の外面に貼付する。
【００２０】
次いで、図４に示すように、補強布１３を、押え部１４の下端に沿って内側に屈曲し、上面部２２に敷設した後、図５に示すように、補強布１３及び上面部２２の上にウレタン系の防水材２３を押え部１４の上端に沿うように施工する。さらに、防水材２３の上面及びシート状部材１１の外面に防水材２３を保護するトップコート層を塗布し、防水施工を完了する。
【００２１】
上記したように本発明の実施の形態に係る防水シート１０及び防水施工方法によれば、立ち上がり部２１に防水シート１０を貼付することにより、立ち上がり部２１の防水施工を簡単に行うことができる。
【００２２】
また、立ち上がり部２１に液状の防水材を塗布する工程がないため、液状の防水材が硬化する前に流下したりすることがない。したがって、立ち上がり部２１の防水塗膜を均一に管理することができ、防水施工後の外観を向上させることもできる。
【００２３】
さらに、上面部２２に防水材２３を施工する時に、シート状部材１１の押え部１４を定規とすることで、上面部２２の防水材の施工管理も簡単且つ確実に行うことができる。
【００２４】
さらにまた、熟練した作業者でなくても、立ち上がり部２１や上面部２２の防水塗膜の膜厚管理を簡単且つ確実に行なうことができるため、工期短縮化やコスト削減化を図ることができる。
【００２５】
なお、上記した本発明の実施の形態の説明では、本発明の実施の形態に係る防水シート１０及び防水施工方法を建築物の庇２０に適用した場合について説明したが、これは単なる例示に過ぎない。すなわち、本発明は、建築物の屋上のパラペットやべランダの手摺り等、立ち上がり部と該立ち上がり部の上端から交差する方向に形成されている上面部とを有する施工対象部分であれば、庇２０以外の部分にも適用可能である。
【００２６】
また、上記した本発明の実施の形態の説明は、本発明に係る防水シート及び防水施工方法における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００２７】
１０    防水シート
１１    シート状部材
１２    ブチルゴム
１３    補強布
１４    押え部
１５    下側部分
１６    上方部分
２０    庇（施工対象部分）
２１    立ち上がり部分
２２    上面部
【図１】
2018091016.tif 000003
【図２】
2018091016.tif 000004
【図３】
2018091016.tif 000005
【図４】
2018091016.tif 000006
【図５】
2018091016.tif 000007